(57)【特許請求の範囲】
【請求項１】
容器本体と蓋とを嵌合する嵌合部の構造を、内嵌合、外嵌合の少なくとも一方を備えた構造とした包装用容器において、容器本体又は蓋の一方に嵌合部の外側に備えた摘み片部と、該摘み片部の面上に備え、容器外方に向かいつつ容器本体又は蓋の他方側に突出するように傾斜させた傾斜面と、容器本体又は蓋の他方に、閉蓋状態において該摘み片部に対向する押下片部と、該押下片部の容器外方側に備え、該摘み片部側に膨らむ形状であり、先端部が該傾斜面をスライド可能な外側膨出部と、該押下片部の容器内方側に備え、該摘み片部側に膨らむ形状であり、閉蓋状態において先端部が該傾斜面にスライド可能に当接する内側膨出部と、を備えた包装用容器。
【請求項２】
前記傾斜面を凹曲面とした請求項１に記載の包装用容器。
【請求項３】
容器本体又は蓋は、平面視多角形状であり、少なくとも一つの隅部に前記摘み片部を備えた請求項１又は２に記載の包装用容器。
【請求項４】
前記外側膨出部と前記内側膨出部とを、平面視への字状に一体的に膨らむ形状とした請求項１〜３のいずれかに記載の包装用容器。
【請求項５】
容器本体又は蓋の外縁部にスカート部を備えた請求項１〜４のいずれかに記載の包装用容器。
【発明の詳細な説明】
【技術分野】
【０００１】
本発明は、容器本体と蓋とを嵌合して閉蓋し、主に生鮮品や惣菜などの食品を包装する包装用容器に関する。
【背景技術】
【０００２】
スーパー、コンビニエンスストアやデパートなどの小売店には、弁当、生鮮食料品やお惣菜などが容器本体と蓋とからなる包装用容器に包装されて陳列されている。
このような包装用容器とは、容易に開封しないように容器本体と蓋とを嵌合構造としているものがある。嵌合構造には、容器本体の周縁部の外側に蓋を嵌合する外嵌合と容器本体の周縁部の内側に蓋を嵌合する内嵌合とがあるが、嵌合部分は内部を密封するため強固に嵌合されており開蓋しづらく、特に内嵌合は蓋が容器本体内に納まる構造となるため開蓋しにくいものであった。
【０００３】
そこで、容器本体の少なくとも一つのコーナー部における本体フランジ部の上面部の外側部分には、外側に向けて上り勾配で傾斜する傾斜面部が形成され、蓋体フランジ部には、閉蓋状態において前記傾斜面部の上に重なるように当接することにより外側に向けて上り勾配で傾斜する摘み部が形成されていることを特徴とする包装用容器が開発されている（下記特許文献１参照）。
【０００４】
また、いずれも合成樹脂を主体とするシート状物の成形体からなり、互いに合着して密閉容器を構成する第１容体及び第２容体を備え、前記第１容体及び前記第２容体には、互いに合着する第１嵌合部ならびに第２嵌合部、及び該嵌合部と一体に連設された第１外周フランジ部ならびに第２外周フランジ部、及び該フランジ部の一部の対応する位置には平面視三角形状の第１ヒレ部ならびに第２ヒレ部がそれぞれ形成されているとともに、前記第１ヒレ部には平板状の第１つまみ部が形成され、前記第２ヒレ部には前記第１つまみ部に当接する膨出部が設けられてその合着方向と反対方向へ跳ね上がった第２つまみ部とが形成されていて、容器の開放時には前記第１つまみ部及び前記第２つまみ部をつまみ合わせて前記膨出部により前記第２つまみ部の前記膨出部の容体側端部を合着方向と反対方向に持ち上げて前記第１容体及び前記第２容体の両嵌合部を離間し平面視三角形状の前記第１ヒレ部ならびに前記第２ヒレ部を介して両嵌合部の合着を解除するようにしたことを特徴とする易開封容器が開発されている（下記特許文献２参照）。
【０００５】
【特許文献１】特許第５７１１８０６号公報
【特許文献２】特開２０１４−２０１３５３号公報
【発明の概要】
【発明が解決しようとする課題】
【０００６】
しかし、上記特許文献１に記載の容器は、摘み部を引き上げて開蓋するものであり、容器本体をうまく固定しながら引かないと内容物が飛散してしまうおそれがあった。
また、上記特許文献２に記載の容器は、平板状の第１つまみ部に人差し指などを添え、第２つまみ部を親指などで押し下げ（又は押し上げ）て開蓋するものであり、第１つまみ部をしっかりと支えていないと第一つまみ部が撓んでしまい開蓋できないおそれがあった。
【０００７】
そこで、本発明の目的は、容器本体と蓋とを嵌合する嵌合部を備えた容器において、開蓋作業が容易にできる包装用容器を提供することにある。
【課題を解決するための手段】
【０００８】
本発明の包装用容器の一形態は、容器本体と蓋とを嵌合する嵌合部の構造を、内嵌合、外嵌合の少なくとも一方を備えた構造とした包装用容器において、容器本体又は蓋の一方に嵌合部の外側に備えた摘み片部と、該摘み片部の面上に備え、容器外方に向かいつつ容器本体又は蓋の他方側に突出するように傾斜させた傾斜面と、容器本体又は蓋の他方に、閉蓋状態において該摘み片部に対向する押下片部と、該押下片部の容器外方側に備え、該摘み片部側に膨らむ形状であり、先端部が該傾斜面をスライド可能な外側膨出部と、該押下片部の容器内方側に備え、該摘み片部側に膨らむ形状であり、閉蓋状態において先端部が該傾斜面にスライド可能に当接する内側膨出部と、を備えたことを特徴とする。
【０００９】
上記形態の包装用容器は、摘み片部及び押下片部の先端部を親指及び人差し指などで挟み、押下片部を押し下げることにより、内側膨出部が支点となり容器本体側又は蓋側の一方の嵌合部を持ち上げるきっかけを生み出し、その後に支点を外側膨出部に移動させて容器本体側又は蓋側の一方の嵌合部を持ち上げることになる。そのため、始めは大きな力で嵌合部を持ち上げることができ、その後に支点が嵌合部から遠くに移動しながら蓋を開封することになり高く嵌合部を持ち上げて嵌合部の嵌合状態を解除することができる。また、内側膨出部及び外側膨出部が傾斜面上をスライドして滑降するため、容器本体側又は蓋側の一方の嵌合部が内側に押され嵌合状態が解除されやすくなり、容易に開蓋することができる。
【００１０】
前記傾斜面は凹曲面とすることができる。このようにすることにより、開蓋する際に、外側膨出部及び内側膨出部が容器内側に確実に向かい、開蓋作業がしやすくなる。
【００１１】
容器本体又は蓋は、平面視多角形状に形成し、少なくとも一つの隅部に前記摘み片部を形成することができる。隅部は角部であるため強度があり、開蓋作業時に撓みにくくなる。
【００１２】
前記外側膨出部と前記内側膨出部とを、平面視への字状に一体的に膨出させて形成することができる。このようにすることにより、押下片部が変形しにくくなり嵌合部に力を効率よく伝えることができ、開蓋作業を容易に行うことができる。
【００１３】
容器本体又は蓋の外縁部にスカート部を形成することができる。このようにすることにより、外縁部が撓みにくくなり開蓋作業がしやすくなる。
【図面の簡単な説明】
【００１４】
【図１】本発明の一実施形態の包装用容器の斜視図である。
【図２】図１の包装用容器の開蓋状態を示した拡大断面図である。
【図３】図１の包装用容器の傾斜面付近の拡大斜視図である。
【図４】図１の包装用容器の膨出部付近を底面側から俯瞰した拡大斜視図である。
【図５】図１の包装用容器の傾斜面及び膨出部付近の断面図である。
【図６】図１の包装用容器における膨出部の一変形例を示し、（Ａ）は底面斜視図、（Ｂ）は断面図である。
【図７】図１の包装用容器における膨出部の他の変形例を示し、（Ａ）は底面斜視図、（Ｂ）は断面図である。
【図８】図１の包装用容器の閉蓋状態を示した拡大断面図である。
【図９】図１の包装用容器の開蓋作業を説明するための図である。
【発明を実施するための形態】
【００１５】
以下、本発明の包装用容器の一実施形態を、図面に基づいて説明する。
【００１６】
本発明の一実施形態の包装用容器１は、図１に示すように、容器本体２と蓋３とを備え、例えば、食品などを包装することができ、お弁当の容器や惣菜を収容する容器などとして用いることができる。
【００１７】
容器本体２及び蓋部３は、特に限定するものではないが、シート厚０．１ｍｍ〜４ｍｍの合成樹脂シートを熱成形して製造することができる。合成樹脂シートとしては、ポリスチレン系樹脂シート、ポリエチレン系樹脂シート、ポリプロピレン系樹脂シート、ポリエチレンテレフタレート系樹脂シートなどの熱可塑性樹脂シートを挙げることができ、熱成形としては、真空成形、圧空成形、真空圧空成形、熱板成形などを挙げることができる。
容器本体２及び蓋部３は、黒色や白色などの有色でもよいが、内部が視認できるように透明乃至半透明であることが好ましい。蓋部３を透明、容器本体２を白色にするなど両者が相違してもよい。
【００１８】
容器本体２は、図１又は図２に示すように、平面視正方形状の底面部２１の周縁部に本体壁部２２が形成してある。本体壁部２２は、上方に向かいながら多段状に外方に開拡する形状としてある。本体壁部２２の上端部には嵌合部２３が形成してある。嵌合部２３は本体壁部２２の上縁部から略垂直状に上方に伸びる垂直面として形成してあり、容器内側から外側に向け凹ませた凹溝２４が周方向に設けてある。嵌合部２３の上縁部には、外方に伸びる水平状のフランジ部２５が形成してある。フランジ部２５の外縁部には、下方に向け傾斜するスカート部２６が形成してある。スカート部２６を設けることによりフランジ部２５が撓みにくくなる。
【００１９】
容器本体２の四隅付近には、図３に示すように、フランジ部２５を外方に延出した摘み片部２７が形成してあり、摘み片部２７の上面には、外方に向かい上方に傾斜する傾斜面２８が形成してある。傾斜面２８は、平面視三角状に上方に膨出させて形成してある。傾斜面２８は、上面が凹曲面状、つまりすり鉢状になるように形成することが好ましい。
【００２０】
本実施形態では、摘み片部２７は、容器本体２の各隅部に４箇所形成してあるが、少なくとも１箇所に形成してあればよい。また、摘み片部２７は、容器本体２の隅部ではなく、容器本体２の外縁部の何れかの箇所を平面視三角形状などに外方に延出して形成してもよい。
【００２１】
蓋３は、図１又は図２に示すように、平面視正方形状の天板部３１の周縁部に蓋側壁部３２を形成してある。蓋側壁部３２は、下方に向け開拡する傾斜面状としてある。蓋側壁部３２の下端部には、容器本体２の嵌合部２３に嵌合可能な被嵌合部３３が周方向に形成してある。被嵌合部３３は、下方に向けて凹ませた倒コの字状に形成してあり、その外側の垂直面には、外方に向け突出した突条３４が周方向に設けてあり、閉蓋状態で嵌合部２３の凹溝２４に嵌まり容器本体２と蓋３とが内嵌合できるように形成してある。被嵌合部３３の外縁部には、外方に水平状に伸びるフランジ部３５が設けてある。蓋３の隅部付近には、フランジ部３５を外方に延出させた押下片部３６が形成してあり、押下片部３６は、閉蓋時において摘み片部２７に対向して上方に位置するように形成してある。
【００２２】
押下片部３６には、図４に示すように、先端部側（隅部付近）に下方に膨出させた外側膨出部３７と、それよりも内方側を下方に膨出させた内側膨出部３８とが形成してあり、内側膨出部３８は、閉蓋状態において下端部が傾斜面２８上に当接するようにしてある。
内側膨出部３８は２箇所形成してあり、外側膨出部３７と２つの内側膨出部３８とが平面視において二等辺三角状になるように配してある。２つの内側膨出部３８と外側膨出部３７とは、蓋３の隅部を縁部に沿い平面視への字状に下方に膨出させて一体的に形成し、図５に示すように、内側膨出部３８と外側膨出部３７とがほぼ同じ出幅になるように形成してある。外側膨出部３７及び内側膨出部３８の下端部は、傾斜面２８を滑りやすいように断面円弧状乃至湾曲状に形成することが好ましい。
本実施形態では、蓋２の対角線上の隅部に一対の押下片部３６を形成してあるが、少なくとも１箇所に形成してあればよい。
また、外側膨出部３７と内側膨出部３８は、例えば、図６に示すように、外側膨出部３７と内側膨出部３８をそれぞれ球面状に膨出させてもよく、図７に示すように、外側膨出部３７と内側膨出部３８との中間部も同じ出幅で膨出させるように形成してもよい。外側膨出部３７と内側膨出部３８との出幅は、相違させてもよく、例えば、外側膨出部３７の方を長くしても、内側膨出部３８の方を長くしてもよい。
【００２３】
本実施形態では、容器本体２及び蓋３は、平面視正方形状に形成してあるが、これに限定するものではなく、平面視長方形状、平面視六角形状などの平面視多角形状や平面視円形状などに形成することもできる。
【００２４】
容器本体２に蓋３を被覆させるには、蓋３を容器本体２の上方から押込み、被嵌合部３３を嵌合部２３に嵌合させればよい。この際、図５に示すように、内側膨出部３８の下端部が傾斜面２８に当接した状態になり、外側膨出部３７は傾斜面２８からやや浮いた状態となる。但し、閉蓋時に外側膨出部３７が傾斜面２８に当接するように形成してもよい。
【００２５】
容器本体２から蓋３を開封するには、図８に示すように、例えば、人差し指Ｉを摘み片部２７の外縁部（スカート部６の下端部）に下側から当て、親指Ｔを押下片部３６の外縁部に上側から当てるようにして力を加えて摘むことにより、押下片部３６が押し下げられて嵌合部２３と被嵌合部３３との嵌合が解除され開蓋できる。
【００２６】
より詳しくは、押下片部３６の外縁部を押し下げることにより、内側膨出部３８の下端部を支点として押下片部３６が傾動するため、被嵌合部３３に上方に持ち上げられる力が働く。この際、内側膨出部３８は傾斜面２８を滑降する。つまり内側膨出部３８は容器内側に移動するため、被嵌合部３３に内側に押される力も働く。さらに、押下片部３６を押し下げると、支点が内側膨出部３８から外側膨出部３７に移動する。つまり支点が容器外側に移動し、被嵌合部３３と支点との距離が長くなるのでより高く被嵌合部３３を持ち上げることができ、図９に示すように、嵌合部２３と被嵌合部３３との嵌合状態を解除することができる。
【００２７】
このように、嵌合部２３と被嵌合部３３との嵌合状態を解除する際、始めは内側膨出部３８を支点として押下片部３６を動かせる。内側膨出部３８は被嵌合部３３に近いので大きな力で被嵌合部３３の嵌合状態を解除することになる。また、内側膨出部３８は、傾斜面２８を滑降しながらつまり容器内側に移動するため、被嵌合部３３の突条３４が容器内側に押され、嵌合部２３の凹溝２４から解除しやすい方向に力が働くことになる。その後、支点が内側膨出部３８から外側膨出部３７に移動し、支点が遠くなるので被嵌合部３３は高く持ち上げられることになる。
このような作用により、押下片部３６を押し下げれば嵌合部２３と被嵌合部３３との嵌合が解除されて容易に開蓋することができる。
【００２８】
本実施形態では、蓋３が容器本体２に内嵌合する構造としてあるが、容器本体３と蓋２とを嵌合する嵌合部の構造を、内嵌合、外嵌合の少なくとも一方を備えた構造としてあればよく、内嵌合、外嵌合のいずれかを採用してもよく、また、内嵌合と外嵌合の両方を備えた内外嵌合としてもよい。
また、容器本体２に摘み片部２７を設け、蓋３に押下片部３６を設けてあるが、蓋３に摘み片部を設け、容器本体２に押下片部を設けてもよい。
【００２９】
上記実施形態の構成態様は、本発明を限定するものとして挙げたものではなく、技術目的を共通にするかぎり変更は可能であり、本発明はそのような変更を含むものである。
【符号の説明】
【００３０】
１包装用容器
２容器本体
２１底面部
２２本体壁部
２３嵌合部
２４凹溝
２５フランジ部
２６スカート部
２７摘み片部
２８傾斜面
３蓋
３１天板部
３２蓋側壁部
３３嵌合部
３４突条
３５フランジ部
３６押下片部
３７外側膨出部
３８内側膨出部
【要約】
【課題】容器本体と蓋とを嵌合する嵌合部を備えた容器において、開蓋作業が容易にできる包装用容器を提供する。
【解決手段】包装用容器１は、容器本体２と蓋３とを嵌合する嵌合部の構造を、内嵌合、外嵌合の少なくとも一方を備えた構造とし、容器本体２又は蓋３の一方の嵌合部の外側に摘み片部２７と、摘み片部２７の面上に形成し、外方に向かいつつ容器本体２又は蓋３の他方側に突出するように傾斜させた傾斜面２８と、容器本体２又は蓋３の他方の嵌合部の外側に、閉蓋状態において摘み片部２７に対向する押下片部３６と、押下片部３６の容器外方側に摘み片部２７側に膨出させた外側膨出部３７と、押下片部３６の容器内方側を摘み片部２７側に膨出させ、閉蓋状態において先端部が傾斜面２８に当接する内側膨出部３８と、を備えたことを特徴とする。
【選択図】図１【図１】
0005938505.tif 000002
【図２】
0005938505.tif 000003
【図３】
0005938505.tif 000004
【図４】
0005938505.tif 000005
【図５】
0005938505.tif 000006
【図６】
0005938505.tif 000007
【図７】
0005938505.tif 000008
【図８】
0005938505.tif 000009
【図９】
0005938505.tif 000010